(57)【特許請求の範囲】
【請求項１】
工具またはワークを着脱自在に装着する前端側とこの前端側から離間した後端側にて主軸をそれぞれ第１および第２ベアリングを介してハウジング内に回転自在に支持し、前記ハウジングを前記主軸の前端側を支持する第１ベアリングから軸方向の後方に離れた位置で前記ハウジングに形成した取付部においてサポート部材に固着し、また潤滑液供給手段から前記第１ベアリングに潤滑液を供給する供給経路とこの第１ベアリングに供給された潤滑液を前記潤滑液供給手段へ回収する回収経路とを前記主軸の径方向に対向して設けた工作機械における主軸ヘッドにおいて、前記供給経路および回収経路のうちの少なくとも一方を、前記第１ベアリングの配置位置近傍において前記ハウジング内に径方向に形成した径方向通路と、この径方向通路から前記主軸の軸線方向に離間した前記取付部の近辺に開口されると共に前記潤滑液供給手段に接続する接続ポートと、さらに、この接続ポートおよび前記径方向通路を中継する通路であってこの通路を通過する潤滑液の熱が前記ハウジングに伝導されるのを防止する中継通路とで構成したことを特徴とする工作機械における主軸ヘッド装置。
【請求項２】
請求項１に記載の主軸ヘッド装置において、前記第１および第２ベアリングは転がりベアリングであり、前記主軸は水平軸線の周りに回転可能に支持され、前記供給経路と回収経路はそれぞれ前記主軸の径方向に対向する上側および下側に配設され、さらに、前記供給経路および回収経路の各々を構成する前記中継通路は前記ハウジングの外部で前記主軸の軸線方向に延設され前記接続ポートおよび前記径方向通路に接続された中継パイプにより構成されることを特徴とする主軸ヘッド装置。
【請求項３】
請求項１に記載の主軸ヘッド装置において、前記第１および第２ベアリングは転がりベアリングであり、前記主軸は水平軸線の周りに回転可能に支持され、前記供給経路と回収経路はそれぞれ前記主軸の径方向に対向する上側および下側に配設され、さらに、前記供給経路および回収経路の各々を構成する中継通路は前記ハウジングの内部で前記主軸の軸線方向に延設され前記接続ポートおよび前記径方向通路に接続された断熱材料製の中継パイプにより構成されることを特徴とする主軸ヘッド装置。
【発明の詳細な説明】
【０００１】
【発明の属する技術分野】
本発明は、好適には切削工具や被加工物を保持して高速回転する主軸をベアリングにより回転自在に支持する工作機械用の主軸ヘッド装置に関し、特に、前記ベアリングを潤滑する潤滑液の供給・回収経路を改良した主軸ヘッド装置に関する。
【０００２】
【従来の技術】
一般にマシニングセンタ等の切削加工用工作機械においては、切削工具をその先端開口に保持する工具主軸は転がりベアリングを介して主軸ヘッドの本体内に回転自在に支持される。最近では、アルミ素材の高能率加工の要求に伴い、工具主軸を例えば毎分５万回転程の高速で回転することが要求されている。
【０００３】
従来のこの種の主軸ヘッドにおいては、軸受ハウジングとして機能する主軸ヘッド本体内に工具主軸と平行に延びる通常断面円形の潤滑流体の供給通路と回収通路が形成される。主軸ヘッド本体の後部に開口する供給口から圧送される潤滑流体は、供給通路を介して主軸ヘッド本体の前部に配置されるベアリングの一側まで導かれ、この一側からジェット流としてベアリングの内外輪間に向けて噴出されてベアリングのボール転動面を冷却・潤滑し、その後回収通路を経て主軸ヘッドの後部に開口する回収口から潤滑流体供給装置へ回収される。
【０００４】
ここで、潤滑流体がミスト状の気体である場合には、複数の供給通路を工具主軸の軸芯を中心とする熱対称に配置し、複数の回収通路も同様な熱対称に配置して、供給通路を通過する潤滑気体と回収通路を通過する潤滑気体との温度差による主軸ヘッドの熱変形を排除することができる。この場合、工具主軸が水平に支持される場合でも、潤滑流体が気体であるので、ベアリングを冷却した後の潤滑気体を回収する上で問題を生じることはない。
【０００５】
【発明が解決しようとする課題】
しかしながら、工具主軸を水平に支持する横形工作機械の主軸ヘッド装置において油などの潤滑液を潤滑流体として使用する場合では、潤滑油の供給・回収経路を重力に逆行しない配置として潤滑油が自然流として流れやすくするための考慮が必要となる。具体的には、供給通路を工具主軸の上部に設けると共に、回収経路を工具主軸の下部に設けることが要求される。
【０００６】
このように供給通路と回収通路をハウジング内で上下に分けて配置すると、ベアリングを潤滑・冷却した潤滑油の温度上昇によりこれら通路を通過する潤滑油に温度差が生じる。このため、通路の配置が熱的に非対称となり、工具主軸の上部にある主軸ヘッドの部位の熱膨張は小さいが下部にある部位の熱膨張が大きいため、主軸ヘッドは前端部を上向き傾向として熱変形する。この結果、この主軸ヘッド装置を用いるとき加工穴の真直度が損なわれる等の加工精度上の問題を生じる。
【０００７】
従って、本発明の目的は、潤滑流体の供給通路と回収通路を主軸ヘッドに熱的に非対称に配置する構成においてもこれら通路を通過する潤滑流体の温度差が起因する主軸ヘッドの熱変形を防止することにある。
【０００８】
【課題を解決するための手段】
従来の主軸ヘッド装置に係わる上述した課題および本発明の目的は、下記の手段により解決され達成される。
本発明の主軸ヘッド装置においては、主軸をこの軸方向に離間した第１および第２ベアリングによりハウジング内に回転自在に支持する。ハウジングには主軸の前端部を支持する第１ベアリングから主軸軸線方向の第２ベアリング側に後退した位置に取付部を設け、この取付部においてハウジングを例えばスライド運動するキャリアに固定する。潤滑液供給装置から前記第１ベアリングに潤滑液を供給する供給経路および第１ベアリングに供給された潤滑液を前記潤滑液供給装置に回収する回収経路を主軸の径方向の両側にそれぞれ設ける。前記回収経路と供給経路の少なくとも一方、好適には回収経路を、前記潤滑液供給装置に接続され前記取付部の近辺に開口する接続ポートと、前記ハウジング内に形成され前記第１ベアリングの近傍から前記径方向に延びる径方向通路と、さらに、この接続ポートおよび前記径方向通路を中継する通路であってこの通路を通過する潤滑液の熱が前記ハウジングに伝導されるのを防止する中継通路とで構成する。
【０００９】
斯かる構成により、前記取付部から前記第１ベアリングまでの軸方向の部分において前記ハウジングの径方向の両側に温度差が生じることが防止され、この結果、前記ハウジングの前記径方向の両側部の熱変形に差が生じることが排除される。
好適には、請求項２に記載されるように、主軸が第１および第２転がりベアリングにより水平に支持される横形工作機械用の主軸ヘッド装置に適用され、前記供給経路および回収経路を主軸の上側および下側にそれぞれ配置する。この場合、前記供給経路および回収経路の各々の中継通路を前記主軸の軸線方向に延びる中継パイプで構成し、この中継パイプを前記接続ポートおよび前記径方向通路に接続して前記ハウジングの外部に配置する。前記中継パイプをハウジングの外部に配置することにより、中継パイプからハウジングへの熱伝導が確実に防止される。
【００１０】
請求項３に記載されるように、中継パイプを断熱材料にて形成し、ハウジングの内部に埋設する他の実施の形態も採用できる。
【００１１】
【発明の実施の形態】
以下、本発明の実施の形態を図面に基づいて説明する。
図１および図２において、１０は横形マシニングセンタの直立コラムを示し、このコラム１０の前面に形成したＹ軸ガイド１１に沿って主軸ヘッドキャリア１２は図１の紙面と垂直なＸ軸方向の両端部において案内され、図略の送り機構により上下動される。キャリア１２は、その中央部においてＺ軸方向に貫通穴１２ａが開口され、この貫通穴１２ａ内に主軸ヘッド２０の後方円筒部２０ａを密嵌合して支持している。
【００１２】
主軸ヘッド２０は、大略円筒状をなし、後方円筒部２０ａの前側に円盤状の取付部としてのフランジ２０ｆが形成され、このフランジ２０ｆにおいてキャリア１２の前面に複数のボルト２１にて固着されている。
主軸ヘッド２０の外殻をなすハウジング２２は、前記後方円筒部２０ａ，フランジ２０ｆおよびこのフランジ２０ｆの前面から前方に延びる前方円筒部２０ｂを有するハウジング本体２３と、この本体２３の前端開口に嵌合固定されたフロントハウジング２４と、このフロントハウジング２４の前端に固着されたフロントキャップ２５とで構成されている。
【００１３】
工具主軸２６は、ハウジング本体２３の後部に収容された一対の後部転がりベアリング２７ａ，２７ｂとフロントハウジング２４内に収容された一対の前部転がりベアリング２８ａ，２８ｂとによりハウジング２２内でＺ軸と平行な水平軸線の周りで回転のみ可能に支持されている。工具主軸２６を回転駆動するビルトイン・モータ３０は、前部転がりベアリング２８ａ，２８ｂと後部転がりベアリング２７ａ，２７ｂとの間でハウジング２２内に収容されている。モータ３０は、公知のインバータ制御により速度指令値に対して実際の回転速度が追従するようにした交流サーボモータである。
【００１４】
より詳細には、モータ３０のステータ３１は、その外周が冷却ジャケットスリーブ３２を介して本体２３の内孔に嵌合支持されている。一方、モータ３０のロータ（図示省略）は、工具主軸２６上に固定されている。ジャケットスリーブ３２は本体２３の内孔との嵌合面に螺旋状の冷却液通路３５が形成され、冷却液をこの通路３５を通して循環することにより、モータ３０を冷却するようにしている。
【００１５】
工具主軸２６は、工具引張機構を内蔵し、前端に開口する工具装着穴に受け入れた切削工具Ｔをクランプし、その後端から突出する前記工具引張機構のドローバー３７が釈放駆動シリンダ３８のピストンロッド３９により前方に押動される時、切削工具Ｔをアンクランプすることができる。釈放駆動シリンダ３８は、ハウジング本体２３の後端部に支持されたブラケット４０内に設けられている。
【００１６】
本発明は、前部ベアリング２８ａ，２８ｂに潤滑液を供給しかつそこから回収する潤滑液の循環機構に特徴を有する。この循環機構は、図１に示す潤滑油供給装置４５の電機モータＭ駆動式の供給ポンプＰ１から供給される潤滑油を前部ベアリング２８ａ，２８ｂに導く供給経路４６と、転がりベアリング２８ａ，２８ｂに供給された潤滑液を回収ポンプＰ２のバキューム作用により回収する回収経路４７とで構成される。
【００１７】
供給経路４６は主軸ヘッド２０の上側に配設され、ハウジング本体２３の後面に開口すると共にフランジ２０ｆまで工具主軸２６と大略平行に延びてハウジング本体２３内に形成される２本（図１および図２は１本のみ示す）の軸方向通路４８ａ，４８ｂを含む。これら２本の軸方向通路４８ａ，４８ｂは、図３から理解できるように、工具主軸２６の軸線を含む垂線に対し１５度旋回した線対称位置でフランジ２０ｆの前面に開口している。この開口端は、接続ポート４９として機能する。
【００１８】
図２に明示されるように、フロントハウジング２４内には、フランジ２０ｆに開口する２本の軸方向通路４８ａ，４８ｂと同一角度位置に形成される２本の径方向通路５０ａ，５０ｂが径方向に形成されている。これら径方向通路５０ａ，５０ｂの外端は、フロントハウジング２４の外周面に固着された２個のエルボ継手５１ａ，５１ｂの直角通路の一端と連通している。各エルボ継手５１ａ，５１ｂの直角通路の他端は供給用の中継パイプ５２ａ，５２ｂの前端を液密的に嵌合し、また対応する軸方向通路４８ａ，４８ｂのフランジ２０ｆ上の２つの接続ポート４９を液密的に閉塞する接続駒５３ａ，５３ｂは各中継パイプ５２ａ，５２ｂの後端を液密的に嵌合している。
【００１９】
一方、径方向通路の一方５０ａの内端は、フロントハウジング２４の軸受内孔５５に開口し、他方の径方向通路５０ｂはフロントハウジング２４の径方向中間部で軸線方向に延びる中間軸方向通路を経て一対の前部転がりベアリング２８ａ，２８ｂの中間位置から内方に進出して軸受内孔５５に開口している。一対の前部転がりベアリング２８ａ，２８ｂの外輪は、フロントハウジング２４の前後端にボルトにより固着されたフロントキャップ２５と軸受押さえ５６との間において、間座５７，５８により軸方向位置が規制されて所定の間隔で位置決めされている。
【００２０】
軸受押さえ５６の軸受内孔５５に嵌合する円筒部の外周には、半周環状溝が形成され、この半周環状溝は径方向通路５０ａの内方端から潤滑油の供給を受けるべく連通している。軸受押さえ５６の円筒部の前端面には、半周環状溝と連通すると共に、転がりベアリング２８ｂの内外輪間の環状空間に向けて潤滑油を噴出する一対のノズル５６ａ（図２では一方のみ図示）が径方向に対向する角度位置に設けられている。
【００２１】
同様に、間座５７の外周には半周環状溝が形成され、この半周環状溝は他方の径方向通路５０ｂの内方端から潤滑油の供給を受けるべく連通している。間座５７の前端には、半周環状溝と連通すると共に転がりベアリング２８ａの内外輪間の環状空間に向けて潤滑油を噴出する一対のノズル５７ａ（図２では一方のみ図示）が径方向に対向する角度位置に配設されている。
【００２２】
一方、前記回収経路４７は、図３に示すように、フロントハウジング２４の外周の下部に固着した３個のエルボ継手６０ａ〜６０ｃを含む。中央のエルボ継手６０ｂは工具主軸２６の直下にあり、この両隣のエルボ継手６０ａ，６０ｃは各々２５度離間して配置されている。これらエルボ継手６０ａ〜６０ｃの直角穴の一方に連通する３本の径方向通路６１ａ〜６１ｃがフロントハウジング２４に形成され、中央の径方向通路６１ｂはフロントハウジング２４の内孔に直接開口し、そこから軸受押さえ５６の連通穴５６ｂを経てロータスリーブ３４との間の環状隙間に開口している。
【００２３】
エルボ継手６０ａ，６０ｃに通じる径方向通路６１ａ，６１ｂは、途中で軸方向の前方に屈曲してそれぞれ間座５７，５８に対応する位置で再び径方向内方に延びて軸受内孔５５に開口している。間座５７，５８は、それぞれの連通穴５７ｂ，５８ｂを介して、これら径方向通路６１ａ，６１ｃを転がりベアリング２８ａ，２８ｂ間の空間と、ベアリング２８ａの前側空間とに接続している。なお、外輪間座５８とこれに対向する内輪間座はラビリンスシールを構成するような形状となっている。
【００２４】
エルボ継手６０ａ〜６０ｃは、工具主軸２６と平行に設けた３本の回収用の中継パイプ６２ａ〜６２ｃの前端を液密的に嵌合している。これら中継パイプ６２ａ〜６２ｃは、ハウジング本体２２の外部においてこのハウジング本体２２の外周下部を取り巻くように配設されている。ハウジング本体２２のフランジ２０ｆの前端面には、前述した接続駒５３ａ，５３ｂと同一構成の接続駒６３ａ〜６３ｃが図３に示すようにエルボ継手６０ａ〜６０ｃと対応する角度位置に固着されている。
【００２５】
これら接続駒６３ａ〜６３ｃは、中継パイプ６２ａ〜６２ｃの後端を液密的に嵌合しており、これら中継パイブ６２ａ〜６２ｃを通って回収される潤滑油をフランジ２０ｆの前面に開口した３つの接続ポート６３（図１参照）に導き、こられ接続ポートからハウジング本体２２内に形成した３本の軸方向通路６４ａ〜６４ｃに導くようになっている。図１では工具主軸２６直下の通路６４ｂのみ図示している。回収ポンプＰ２は、これら軸方向通路６４ａ〜６３ｃのハウジング本体２２の後端面に開口する回収口から潤滑油を吸い込み、潤滑油供給装置４５のリザーバへ還流する。
【００２６】
なお、図１において、符号７０ａ，７０ｂは後部転がりベアリング２７ａ，２７ｂに潤滑油を供給する２本の供給通路を示し、符号７１ａ〜７１ｃは転がりベアリング２７ａ，２７ｂに供給された潤滑油を回収する３本の回収通路を示す。これら供給通路７０ａ，７０ｂは、それぞれが中継パイプ５２ａ，５２ｂに対応する角度位相で配設されて供給ポンプＰ１に接続され、これに対し、回収通路７１ａ〜７１ｃはそれぞれが中継パイプ６２ａ〜６２ｃに対応する角度位相に配設されて吸込ポンプＰ２に接続されている。
【００２７】
また、図１において、符号７２〜７５は、ゴムチューブ等で構成されるフレキシブルパイプを示し、符号７７は、潤滑油供給装置４５のリザーバ内の潤滑油を温度制御する油温制御装置を示す。
次ぎに、上記のように構成された実施の態様の作用について説明する。
加工動作のために工具主軸２６の起動指令が与えられると、サーボモータ３０が駆動され、図略のロータと一体の工具主軸２６が回転される。工具主軸２６の回転動作に関連して、潤滑油供給装置４５のモータＭが回転され、供給ポンプＰ１は軸方向通路４８ａ，４８ｂおよび通路７０ａ，７０ｂに潤滑油を約１０ｋｇｆ／ｃｍ２  の圧力で供給する。同時に、吸込ポンプＰ２が軸方向通路６４ａ〜６４ｃ，通路７１ａ〜７１ｃから潤滑油を吸引する。
【００２８】
軸方向通路４８ａ，４８ｂに供給された潤滑油は、接続ポート４９，中継パイプ５２ａ，５２ｂを経てフロントハウジング２４内の径方向通路５０ａ，５０ｂに導入され、さらに外輪スペーサ５７の一対のノズル５７ａから前部転がりベアリング２８ａに噴出されると共に、軸受押え５６の一対のノズル５６ａから前部転がりベアリング２８ｂに噴出される。各ベアリング２８ａ，２８ｂに噴出された潤滑油ジェットは、これらベアリング２８ａ，２８ｂの内外輪の転動面を冷却および潤滑作用する。
【００２９】
前部転がりベアリング２８ａ，２８ｂに供給された潤滑油は、フロントハウジング２２内に形成した３本の回収用径方向通路６１ａ〜６１ｃおよびエルボ継手６０ａ〜６０ｃを経て回収用の中継パイプ６２ａ〜６２に導かれ、そこから接続ポート６３および軸方向通路６４ａ〜６４ｃを経て吸込ポンプＰ２によりリザーバ内へ還流される。
【００３０】
転がりベアリング２８ａ，２８ｂを冷却した潤滑油は温められて温度上昇した状態で回収用の中継パイプ６２ａ〜６２ｃへ導入される。従って、供給用の中継パイプ５２ａ〜５２ｂを通過する潤滑油と回収用の中継パイプ６２ａ〜６２ｃを通過する潤滑油は、かなりの温度差を持つことになる。
ハウジング本体２３の上側と下側でかなりの温度差が生じる場合、ハウジング本体２３の下側部が取付基準であるフランジ２０ｆを起点として上側部よりも大きく熱膨張し、この結果、前部転がりベアリング２８ａ，２８ｂを嵌合するフロントハウジング２４がその前面を上向きに傾斜させる傾向に熱変形し、工具主軸２６に装着された工具Ｔはその軸線が先端側を上向きにして傾斜する。このような熱変形による工具軸線の傾斜は、図略の被加工物の加工精度を低下させる。
【００３１】
しかしながら、図示された本発明の実施の態様においては、回収用の中継パイプ６２ａ〜６２ｃと供給用の中継パイプ５２ａ，５２ｂをハウジング本体２３の外部に配置してハウジング本体２３のフランジ２０ｆの前方部分にこれらパイプ６２ａ〜６２ｃ，５２ａ，５２ｂを通過する潤滑油の熱が伝達されないようにしている。このため、ハウジング本体２３の上側部分と下側部分とには顕著な温度差が生じなく、この温度差が起因する上述した不具合が解消される。
【００３２】
回収される潤滑油の熱は、この潤滑油が軸方向通路６４ａ〜６４ｃを通過する際にハウジング本体２２のフランジ２０ｆより後方の部分に伝達され、このためこの後方の部分においてはその上側部分よりも下側部分の方が後方に大きく熱変形する。しかしながら、ハウジング本体２３はフランジ２０ｆが熱変形の起点となるので、フランジ部２０ｆの後方部分の熱変形はそれよりも前方部分の熱変形に殆ど影響しない。
【００３３】
特に、図示の実施の形態においては、後部転がりベアリング２７ａ，２７ｂは、常時後方に付勢された図略の軸受ケース内に収納されているので、フランジ２０ｆより後方部分の熱変形は、この軸受ケースの後方への微小移動により吸収され、フランジ２０ｆの前方部分へ影響するのを防止している。
供給通路７０ａ，７０ｂに供給された潤滑油は、後部転がりベアリング２７ａ，２７ｂ冷却および潤滑し、回収通路７１ａ〜７１ｃを経て潤滑油供給装置４５へ還流される。
【００３４】
図４は、本発明による他の実施の形態の要部を示すもので、この他の実施の形態においては、ハウジング本体２３の外部に配設される回収用中継パイプ６２ａ〜６２ｃに代えて、公知の断熱材料で形成された回収用中継パイプ１６２ａ〜１６２ｃが使用され、これら断熱パイプ１６２ａ〜１６２ｃはハウジング本体２２内およびフロントハウジング２４内に同心に形成した穴に嵌合される。
【００３５】
前部転がりベアリング２８ａ，２８ｂを潤滑した潤滑油は、フロントハウジング２４の径方向通路６１ａ〜６１ｃから対応する断熱パイプ１６２ａ〜１６２ｃの先端部に形成した横穴を通ってこれら断熱パイプ１６２ａ〜１６２ｃ内へ吸引され、これらからハウジング本体２３内の軸方向通路６４ａ〜６４ｃへ導かれて潤滑油供給装置４５へ還流される。
【００３６】
この他の実施の形態においては、回収用の中継パイプ１６２ａ〜１６２ｃをハウジング本体２３内に配置しているが、これらパイプの材質を断熱材料とすることにより通過する潤滑油の熱がハウジング本体２３に伝導されることを防止している。
この他の実施の形態における供給用の中継パイプの構成は、図示省略されているが、中継パイプ１６２ａ〜１６２ｃと同一の構成が採用され、ハウジング本体２３内に埋設される。なお、図４において、符号１６３は、各回収用の中継パイプ１６２ａ〜１６２ｃの挿入穴の開口端を閉塞するためにフロントハウジング２２に固着されたプラグを示す。
【００３７】
上述した各実施の態様においては潤滑油供給経路を２本とし潤滑油回収経路を３本としているが、このような構成は前部転がりベアリング２８ａ，２８ｂへ均等に潤滑油を供給でき、またこれらベアリングの両側の空間および中間の空間から確実に潤滑油を回収できる点において有利である。しかしながら、供給および回収経路をそれぞれ１本づつとし、供給経路は前部転がりベアリング２８ａ，２８ｂの直前で２つに分岐し、回収経路はフロントハウジング２３内では３つの通路とすると共にこれら３つの通路を回収用中継パイプに至る直前で１つに集合させる構成としてもよい。
【００３８】
また、上記した実施の態様においては、供給用の軸方向通路４８ａ，４８ｂおよび回収用の軸方向通路６４ａ〜６４ｃをハウジング本体２２に形成しているが、これら軸方向通路の各々の一部は主軸ヘッドと一体のキャリア１２内に形成してもよい。
さらに、本発明における中継パイプの構成は、主軸２６の前側と後側をそれぞれ転がりベアリングにて支持する主軸ヘッド装置に好適に使用されるが、主軸２６を転がりベアリング以外のベアリング、例えば流体軸受にて支持する形式の主軸ヘッド装置において流体軸受に軸受流体を供給する手段としても応用できる。
【００３９】
【発明の効果】
以上詳述したように、本発明によれば、主軸の前側部を回転支持する第１ベアリングから軸方向に大きく後退したハウジングの部位に形成した取付部において主軸ヘッドをキャリアに固定し、また前記第１ベアリングと潤滑液供給装置との間を接続する供給経路および回収経路を前記主軸の径方向の両側にを設けた主軸ヘッド装置において、前記供給経路および回収経路の少なくとも一方、望ましくは回収経路について、前記取付部近辺に開口した接続ポートと前記第１ベアリングの近辺にて前記ハウジング内に径方向に形成した径方向通路とを中継する通路を設け、この中継通路を通過する潤滑液の熱が前記ハウジングに伝導されないように構成したので、前記ハウジングの前記第１ベアリングと前記取付部まで軸方向における部分の径方向の両側が熱的にアンバランスになることが防止され、この結果ハウジングの前記径方向の両側の熱膨張差が起因する主軸の回転精度上および加工精度上の不具合が排除できる。
【００４０】
特に、請求項２の発明のように前記中継通路をパイプで構成してハウジングの外部に配置した場合では、この中継パイプとハウジングとの間に空間が形成されるので、中継パイプからハウジングへの熱伝導が確実に防止される。
【図面の簡単な説明】
【図１】本発明の実施の態様を示す一部断面側面図。
【図２】本発明の実施の態様の前端部を拡大して示す縦断面図。
【図３】本発明の実施の態様の拡大正面図。
【図４】本発明の他の実施の態様の一部縦断面図。
【符号の説明】
１０・・・工作機械のコラム
１２・・・キャリア（Ｙ軸スライド）
２０・・・主軸ヘッド
２０ｆ・・・フランジ部（取付部）
２２・・・ハウジング
２６・・・・工具主軸
２８ａ，２８ｂ・・・前部転がりベアリング
２７ａ，２７ｂ・・・後部転がりベアリング
３０・・・・サーボモータ
４５・・・潤滑油供給装置
４９，６３・・・・接続ポート
５１ａ，５１ｂ，６０ａ〜６０ｃ・・・エルボ継手
４８ａ，４８ｂ，６４ａ〜６４ｃ・・・軸方向通路
５０ａ，５０ｂ，６１ａ〜６１ｃ・・・回収径方向通路
５２ａ，５２ｂ，６２ａ〜６２ｃ・・・中継パイプ
【図１】
0003612923.tif 000002
【図２】
0003612923.tif 000003
【図３】
0003612923.tif 000004
【図４】
0003612923.tif 000005